(57)【要約】【課題】排水性能を確保しながらも、例えば断熱材の敷設を妨げないドレン取付装置を提供する。【解決手段】排水管に接続される筒部２ｃと、垂直フランジ部２ｂと、水平フランジ部２ａとを備えたドレン本体１を取り付けるドレン取付装置１０は、前記筒部２ｃを挿通させる開口１３ｅを備えた垂直板１２と、前記垂直板１２に接合された水平板１１と、前記垂直板１２及び前記水平板１１上に形成される支持部１３と、を有し、前記支持部１３は、前記水平板１１に対して、前記水平フランジ部２ａが所定の高さΔ１に位置し、垂直フランジ部２bが所定の高さ△２に位置するように、前記ドレン本体１を支持する。【選択図】図４
2019214822.tif 000002
【特許請求の範囲】
【請求項１】
排水管に接続される筒部と、垂直フランジ部と、水平フランジ部とを備えたドレン本体を取り付けるドレン取付装置であって、
前記筒部を挿通させる開口を備えた垂直板と、前記垂直板に接合された水平板と、前記水平板上に形成される支持部と、を有し、
前記支持部は、前記水平板に対して、前記水平フランジ部が所定の高さに位置するように、前記ドレン本体を支持する、
ことを特徴とするドレン取付装置。
【請求項２】
前記支持部は、前記垂直板上に形成され、前記垂直板に対して、前記垂直フランジ部が所定の距離に位置するように、前記ドレン本体を支持する、
ことを特徴とする請求項１に記載のドレン取付装置。
【請求項３】
前記垂直板に対する前記垂直フランジ部の距離は、前記垂直板上における前記支持部の周囲に配置される断熱材の厚みに応じて決められている、
ことを特徴とする請求項２に記載のドレン取付装置。
【請求項４】
前記水平板に対する前記水平フランジ部の高さは、前記水平板上における前記支持部の周囲に配置される断熱材の厚みに応じて決められている、
ことを特徴とする請求項1〜３のいずれか一項に記載のドレン取付装置。
【請求項５】
前記水平板が下地に固定され、前記垂直板が壁に固定され、前記ドレン本体の筒部が前記排水管に接続される、
ことを特徴とする請求項1〜４のいずれか一項に記載のドレン取付装置。
【発明の詳細な説明】
【技術分野】
【０００１】
本発明は、ドレン取付装置に関する。
【背景技術】
【０００２】
デッキプレート上に断熱材を敷設し、さらに該断熱材上に防水層を施すことにより屋根を構成するデッキプレート下地断熱屋根工法が知られている。この工法で形成される屋根には、通常、雨水排水用のルーフドレンが設置される。
【０００３】
このようなルーフドレンとしては、例えば特許文献1に示す横引きタイプのものがある。かかる従来例のルーフドレンにおいて、水平方向の下地面（デッキプレート）と、垂直方向の壁面とが交差するコーナー部分に配設され壁面に形成される排水管に水平方向に排水を為すために、ドレン本体と、これに被着されるドレンカバーと、ドレン本体の取り付け装置とを具えている。
【先行技術文献】
【特許文献】
【０００４】
【特許文献１】特開２００７−２１１５３９号公報
【発明の概要】
【発明が解決しようとする課題】
【０００５】
特許文献1のルーフドレンによれば、ドレン周縁において、防水層表面を平滑に維持するとともに防水層を必要かつ充分なだけ下地に密接できるようにし、円滑適正な排水を実現して、ドレン周りの防水性能の維持強化ならびに施工性の向上を図ることができる。
【０００６】
ところで、例えば内部の温度環境を厳密に管理したい冷凍・冷蔵倉庫などでは、倉庫内空調の効率を向上させるために、屋根の断熱性能をなるべく高めたいという要請がある。かかる要請に対し、ルーフドレン自体を断熱材で覆うことは困難であるが、その周囲に断熱材を極力隙間なく敷き詰めることで、屋根の断熱性能を高めることができる。しかしながら、従来の構成では円滑適正な排水を優先するために、ルーフドレンの周囲に断熱材を敷設することが困難であった。
【０００７】
本発明は、上記課題に鑑みて、排水性能を確保しながらも、例えば断熱材の敷設を妨げないドレン取付装置を提供することを目的とする。
【課題を解決するための手段】
【０００８】
上記目的を達成するため、本発明のドレン取付装置は、
排水管に接続される筒部と、垂直フランジ部と、水平フランジ部とを備えたドレン本体を取り付けるドレン取付装置であって、
前記筒部を挿通させる開口を備えた垂直板と、前記垂直板に接合された水平板と、前記水平板上に形成される支持部と、を有し、
前記支持部は、前記水平板に対して、前記水平フランジ部が所定の高さに位置するように、前記ドレン本体を支持する、ことを特徴とする。
【発明の効果】
【０００９】
本発明によれば、排水性能を確保しながらも、例えば断熱材の敷設を妨げないドレン取付装置を提供することができる。
【図面の簡単な説明】
【００１０】
【図１】本実施形態のドレン取付装置に取り付け可能なドレン本体の斜視図である。
【図２】ドレン本体を分解して示す図である。
【図３】本実施形態のドレン取付装置の斜視図である。
【図４】ドレン取付装置１０を用いてドレン本体１を設置する状態を示す斜視図である。
【図５】ドレン取付装置１０を用いてドレン本体１を設置した状態を示す正面図であり、中心線より左半分は壁ＷＬ及びドレン取付装置１０の垂直板１２上に防水層(ハッチング)を施工した状態で示す。
【図６】図５の構成をＡ−Ａ線で切断して矢印方向に見た断面図である。
【図７】図６の一部を拡大して示す図である。
【図８】別の実施形態にかかる図５と同様な正面図であり、中心線より左半分は壁ＷＬ及びドレン取付装置１０の垂直板１２上に防水層(ハッチング)を施工した状態で示す。
【図９】図８の構成をＢ−Ｂ線で切断して矢印方向に見た断面図である。
【発明を実施するための形態】
【００１１】
以下、図面を参照して本発明の実施の形態を説明する。図１は、本実施形態のドレン取付装置に取り付け可能なドレン本体の斜視図である。図２は、ドレン本体を分解して示す図である。図３は、本実施形態のドレン取付装置の斜視図である。
【００１２】
まず、ドレン本体から説明する。図２に示すように、ドレン本体1は、ベース２と、中間部３と、カバー部４とから構成される。金属製のベース２は、水平フランジ部２ａと垂直フランジ部２ｂとを略直角に接合した形状を有する。垂直フランジ部２ｂの中央には、円形の筒部２ｃが奥側（水平フランジ部２ａと反対側）に突出するように形成され、また水平フランジ部２ａと垂直フランジ部２ｂの接合部には、２つのねじ穴２ｄが形成されている。水平フランジ部２ａの角部近傍における背面に２つの袋ねじ孔２ｅが形成され、また垂直フランジ部２ｂの２つの角部近傍における裏面に２つの袋ねじ孔２ｆが形成されている。袋ねじ孔２ｅ、２ｆは、貫通しない孔の内周に雌ねじを形成したものである。また、水平フランジ部２ａ上における筒部２ｃの近傍には、水平フランジ部２ａ上に集められた水が筒部２ｃに向かって流れるように案内する窪み２ｇが形成されている。
【００１３】
金属製の中間部３は、中間水平部３ａと中間垂直部３ｂとを接合した形状を有する。中間水平部３ａと中間垂直部３ｂに跨るようにして、矩形状の開口３ｃが形成され、開口３ｃの両側縁に切欠状のねじ受け部３ｄが２つ形成されている。また、中間垂直部３ｂの上部中央にねじ穴３ｅが形成されている。
【００１４】
金属製のカバー部４は、カバー水平部４ａとカバー垂直部４ｂとを接合し、更に両者に跨るようにして円弧櫛歯状のグレーチング部４ｃを形成している。また、カバー垂直部４ｂの上部中央に貫通孔４ｄが形成されている。
【００１５】
ドレン本体１を組み付ける場合、ベース２上に中間部３を載置し、全体が雄ねじである全ねじボルト５ａを中間部３のねじ受け部３ｄを通過させて、その一端をねじ穴２ｄに螺合させる。更に全ねじボルト５ａの他端にワッシャ５ｂを挿入すると、ワッシャ５ｂがねじ受け部３ｄに当接する。かかる状態で全ねじボルト５ａの他端にナット５ｃを螺合させワッシャ５を押圧しつつ締め上げることにより、ベース２に対して中間部３が連結される。
【００１６】
さらに、中間部３上にカバー部４を載置し、ねじ６をカバー部４の貫通孔４ｄを通過させて、ねじ穴３ｅに螺合させる。これにより、ベース２及び中間部３に対してカバー部４が連結される。以上で、ドレン本体１の組み付けが完了する。
【００１７】
次にドレン取付装置について説明する。図３において、ドレン取付装置１０は、ＳＵＳなどの金属製の板材から形成され、水平板１１と、水平板１１の一辺に直角に接合された垂直板１２と、支持部１３とから構成されている。
【００１８】
支持部１３は、水平板１１から所定の高さだけ上方に平行シフトした水平支持面部１３ａと、垂直板１２から所定の距離だけ手前側（ここでは水平板１１側）に平行シフトした垂直支持面部１３ｂと、水平支持面部１３ａの周囲三辺と水平板１１とを連結する水平連結部１３ｃと、垂直支持面部１３ｂの周囲三辺と垂直板１２とを連結する垂直連結部１３ｄとを有する。水平支持面部１３ａと垂直支持面部１３ｂとは互いに直交して接合しており、更に両者に跨るようにして開口１３ｅが形成されている。また、水平板１１と垂直板１２の周縁近傍には、設置用のボルト（不図示）を貫通する孔１１ａ、１２ａがそれぞれ複数個形成されている。
【００１９】
水平支持面部１３ａの角部近傍に２つの貫通孔１３ｆが形成され、また垂直支持面部１３ｂの２つの角部近傍に２つの貫通孔１３ｇが形成されている。
【００２０】
ドレン取付装置１０を製造する場合、矩形開口を有する金属板の中間を折り曲げて、水平板１１と垂直板１２とを形成した中間生成体（不図示）に対し、これと並行して金属板から折り曲げて形成しておいた支持部１３を、中間生成体の矩形開口の周囲に溶接するなどして形成することができる。ただし、水平板１１と垂直板１２とを折り曲げて形成した後、更にプレス成形を行うことで、支持部１３を形成することもできる。
【００２１】
次に、ドレン取付装置１０及びドレン本体１の設置について説明する。図４は、ドレン取付装置１０を用いてドレン本体１を設置する状態を示す斜視図である。図５は、ドレン取付装置１０を用いてドレン本体１を設置した状態を示す正面図である。図６は、図５の構成をＡ−Ａ線で切断して矢印方向に見た断面図である。図７は、図６の一部を拡大して示す図である。
【００２２】
図５，６において、ドレン取付装置１０は、デッキプレートＤＰにより支持された下地（屋根材）ＦＬと壁ＷＬの交差部に設置される。ここで、下地ＦＬと壁ＷＬの交差部には、開口ＯＰが形成されているものとする。
【００２３】
まず、図４に示すように、ドレン本体１の袋ねじ孔２ｅとドレン取付装置１０の貫通孔１３ｆとに挿通したボルト１４（図５，６）、およびドレン本体１の袋ねじ孔２ｆとドレン取付装置１０の貫通孔１３ｇとに挿通したボルト１５（図６）により、ドレン取付装置１０上にドレン本体１が載置され固定される。このとき、水平支持面部１３ａにドレン本体１の水平フランジ部２ａの下面が当接し、また垂直支持面部１３ｂに垂直フランジ部２ｂの裏面が当接する。
【００２４】
かかる状態では、ドレン本体１は、ドレン取付装置１０の水平板１１の表面から高さΔ１だけ上方にシフトした位置に支持され、一方、ドレン取付装置１０の垂直板１２の表面から距離Δ２だけ手前側にシフトした位置に支持される。なお、高さΔ１は、水平連結部１３ｃのサイズ（幅）を変更することで調整することができ、また距離Δ２も、垂直連結部１３ｄのサイズ（幅）を変更することで調整することができる。
【００２５】
更に、開口ＯＰを覆うようにして、ドレン本体1が載置固定されたドレン取付装置１０を設置し、水平板１１を下地ＦＬに、孔１１ａを介してボルト（ビス）止めし、且つ垂直板１２を壁ＷＬに、孔１２ａを介してボルト（ビス）止めして取り付けを行う。
かかる状態で、ドレン本体１の筒部２ｃが開口１３ｅを介して開口ＯＰから突き出すので、これに不図示の排水管を嵌合固定することができる。
【００２６】
その後、下地ＦＬの上面及びドレン取付装置１０の水平板１１の表面にかけて、水平支持面部１３ａの周囲にまで、例えば硬質ウレタンフォームなどの断熱材２１（図４に一部を図示）を敷設する。また、断熱材２１上には防水層２２を敷設する（図６，７参照）。
【００２７】
ここで、図７に示すように、水平板１１から水平支持面部１３ａの高さΔ１を、断熱材２１及び防水層２２の厚さに対して調整することにより、ドレン本体１のベース２の水平フランジ部２ａの上面を、その周囲の防水層２２の上面より低くすることができる。これにより、水平フランジ部２ａの外周に隣接して断熱材２１及び防水層２２を敷設した場合に、雨水が断熱材２１及び防水層２２側からドレン本体１に向かって円滑に流れるようにすることができる。同時に、ドレン取付装置１０の水平板１１の表面まで断熱材２１を敷設することで、下地ＦＬの断熱性能を高めることができる。
【００２８】
一方、壁ＷＬの表面及びドレン取付装置１０の垂直板１２の表面にかけて、垂直支持面部１３ｂの周囲にまで、例えば硬質ウレタンフォームなどの断熱材２３（図４に一部を図示）を敷設する。また、断熱材２３上には防水層２４を敷設する（図６参照）。
【００２９】
また、垂直板１２から垂直支持面部１３ｂの距離Δ２を、断熱材２３及び防水層２４の厚さに対して調整することにより、ドレン本体１のベース２の垂直フランジ部２ｂの表面を、その周囲の防水層２４の表面に対して近づける（好ましくは面一と）することができる。これにより、敷設したドレン本体１を目立たなくすることができ、美的外観を確保できる。同時に、ドレン取付装置１０の垂直板１２の表面まで断熱材２３を敷設することで、壁ＷＬの断熱性能を高めることができる。
【００３０】
なお、防水層２２、２４は、厚さ１mm〜１５mmであると好ましく、例えば、塩化ビニル製の防水層、アスファルト防水層、ウレタン防水層などがあるが、これに限られない。
【００３１】
本実施形態のドレン取付装置１０においては、断熱材２１，２３の厚みに対応が可能であり、ドレン本体１に隣接する断熱材２１，２３の厚みを、下地ＦＬや壁ＷＬ上の断熱材の厚みと変えるなどの必要がなく、均一な厚さの断熱材を容易に施工できる。また、ドレン取付装置１０の剛性が高く、外力が付与されてもドレン本体１と異なる動きをせず、これにより防水層２２，２４を設けた際に密着性を高めることができ、又ねじれなどが生じにくいため、防水層２２，２４の剥がれや亀裂などが生じることを抑制できる。
【００３２】
本実施形態によれば、防水層２２，２４のフラットな上面に落滴した雨水は、スムーズにドレン本体１のベース２へと流れるから、防水層２２の上面に雨水がたまるなどの不具合を抑制できる。ドレン本体１で収集された雨水は、排水管を介して排水される。
【００３３】
図８は、別の実施形態にかかる図５と同様な正面図である。図９は、図８の構成をＢ−Ｂ線で切断して矢印方向に見た断面図である。
【００３４】
本実施形態では、ドレン取付装置１０及びドレン本体１自体は上述した実施形態と同様であるが、その敷設方法が異なる。より具体的には、断面コ字状またはアングル状の鋼鉄梁ＳＴ上に、断熱材２５を設置している。水平板１１は鋼鉄梁ＳＴ上に取り付けられている。
【００３５】
本実施形態では、断熱材２５は硬質ウレタンフォームを鋼板でサンドイッチしたものであり、それ自体が剛性を有するため鋼鉄梁ＳＴと共に下地として用いることができるので、断熱材２５上に防水層２２を敷設している。それ以外の構成は上述した実施の形態と同様であるため、説明を省略する。
【００３６】
なお、本発明は上記実施形態に限定されるものではなく、種々の改変を施すことができる。例えば、垂直支持面部１３ｂは、垂直板１２に対して手前側（正側とする）に所定距離だけシフトさせているが、垂直板１２に対して奥側（負側とする）にシフトさせてもよいし、垂直板１２と面一としてもよい。
【符号の説明】
【００３７】
１  ドレン本体
２  ベース
３  中間部
４  カバー部
５ａ  全ねじボルト
５ｂ  ワッシャ
５ｃ  ナット
１０  ドレン取付装置
１１  水平板
１２  垂直板
１３  支持部
２１，２３，２５  断熱材
２２，２４  防水層
ＦＬ  下地
ＷＬ  壁
【図１】
2019214822.tif 000003
【図２】
2019214822.tif 000004
【図３】
2019214822.tif 000005
【図４】
2019214822.tif 000006
【図５】
2019214822.tif 000007
【図６】
2019214822.tif 000008
【図７】
2019214822.tif 000009
【図８】
2019214822.tif 000010
【図９】
2019214822.tif 000011